(57)【要約】【課題】スロットマシン等の遊技機の運搬に好適で、繰り返し使用することができる遊技機運搬用コンテナを提供する。【解決手段】各略板状の正面部材１、背面部材２、左側面部材３、右側面部材４、上面部材５及び底面部材６を直方体型に組み立て、正面部材１には内部に収容される遊技機を出し入れするための開閉扉１０を設ける。そして、前記底面部材６の上面部に遊技機の出し入れ方向に上部が移動するように回転自在なコロ１７を設ける。また、前記開閉扉１０は観音開きする一対の扉体１０ａ，１０ｂで構成し、これら一対の扉体の互いに対向する端部に、両扉体を閉じた状態で封緘する封緘体を装着するための封緘体装着部１４ａ，１４ｂを形成する。【選択図】図２
2006321504.tif 000002
【特許請求の範囲】
【請求項１】
各略板状の正面部材、背面部材、左側面部材、右側面部材、上面部材及び底面部材が直方体型に組み立てられ、正面部材には内部に収容される遊技機を出し入れするための開閉扉が設けられた遊技機運搬用コンテナであって、前記底面部材の上面部に遊技機の出し入れ方向に上部が移動するように回転自在なコロを設けたことを特徴とする遊技機運搬用コンテナ。
【請求項２】
前記開閉扉は観音開きする一対の扉体からなり、これら一対の扉体の互いに対向する端部に、両扉体を閉じた状態で封緘する封緘体を装着するための封緘体装着部が形成されている請求項１に記載の遊技機運搬用コンテナ。
【請求項３】
上面部材及び底面部材が、正面部材もしくは背面部材との連結部を支点にして内側に折りたたみ可能、かつ左側面部材及び右側面部材が、中間部を折り曲げて正面部材及び背面部材との連結部を支点にして内側に折りたたみ可能な請求項１又は２に記載の遊技機運搬用コンテナ。
【発明の詳細な説明】
【技術分野】
【０００１】
この発明は、スロットマシン等の遊技機を工場から遊技店まで運搬する際に使用するのに適した遊技機運搬用コンテナに関する。
【背景技術】
【０００２】
従来、スロットマシン等の遊技機を工場から遊技店まで運搬するのに、例えば特許文献１に記載されているような段ボール製の箱が使用されていた。この種の段ボール製の箱は、運搬中に破損したり梱包が解けたりすることがあり、そのことを悪用して運搬中の遊技機に不正細工がされる危険がある。このため、遊技機の運搬に際しては、信頼のできる業者に委託して遊技機だけを積載したトラックで運搬するようにしている。しかしながら、近年遊技店では短い周期で少数台ずつ遊技機を入れ替える傾向が強くなってきているため、少数台の遊技機だけを専用のトラックで運搬することとなり、運搬効率が悪くなっている。また、段ボール製の箱は遊技機を取り出したのち再使用することなく廃棄処分されており、省資源化を進める上で問題となっていた。
【０００３】
【特許文献１】特開２００３−１３５８３５号公報
【０００４】
上記段ボール製の箱の問題点に対しては、以前より特許文献２において、合成樹脂、軽金属等で堅牢に成形され、遊技機を安全確実に収容することができ再使用可能な遊技機運搬用の梱包ケースが提案されている。
【０００５】
【特許文献２】特開平１１−９８３０号公報
【発明の開示】
【発明が解決しようとする課題】
【０００６】
特許文献２に記載の梱包ケースは、パチンコ機を運搬するためのものである。パチンコ機は比較的軽量であり一人でも持ち上げることができるので、梱包ケースへの出し入れは容易である。しかしながら、パチンコ機よりも大型かつ大重量であるスロットマシンを運搬するためのコンテナについては、スロットマシンの出し入れを容易にするための工夫が必要となってくる。また、特許文献２に記載の梱包ケースは、運搬終了後も嵩を小さくすることができないので、返送時や保管時に広いスペースを要するという不具合がある。特に、スロットマシン運搬用のコンテナは、容量が大きいので、パチンコ機運搬用のもの以上に不使用時に嵩を小さくする必要がある。
【０００７】
本発明は、上記事情に鑑みなされたものであり、スロットマシン等の遊技機の運搬に好適で、繰り返し使用することができ、しかも不使用時には折りたたんで嵩を小さくすることが可能な遊技機運搬用コンテナを提供することを課題としている。
【課題を解決するための手段】
【０００８】
上記課題を解決するために、本発明は次のように構成した。すなわち、請求項１に記載の遊技機運搬用コンテナは、各略板状の正面部材、背面部材、左側面部材、右側面部材、上面部材及び底面部材が直方体型に組み立てられ、正面部材には内部に収容される遊技機を出し入れするための開閉扉が設けられた遊技機運搬用コンテナであって、前記底面部材の上面部に遊技機の出し入れ方向に上部が移動するように回転自在なコロを設けたことを特徴としている。
【０００９】
この構成によれば、開閉扉が設けられている開口部より遊技機を水平方向に移動させてコンテナ内に出し入れするので、遊技機を持ち上げることなく出し入れすることができる。底面部材の上面部にコロが設けられているので、遊技機の水平方向の移動自体も容易である。
【００１０】
また、請求項２に記載の遊技機運搬用コンテナは、請求項１に記載の構成に加えて、前記開閉扉は観音開きする一対の扉体からなり、これら一対の扉体の互いに対向する端部に、両扉体を閉じた状態で封緘する封緘体を装着するための封緘体装着部が形成されている構成とした。
【００１１】
コンテナ内に遊技機を収容して開閉扉を閉じ、封緘体装着部に封緘体を装着する。そして、運搬後の封緘体が装着時の状態のままであれば、遊技機が不正細工されることなく安全に運搬されたことになる。開閉扉を観音開き式にすることにより、扉以外の部分に封緘体装着部を形成しなくてすみ、開閉扉が設けられている開口部の面積を広くとることができる。このため、遊技機の出し入れが容易である。
【００１２】
さらに、請求項３に記載の遊技機運搬用コンテナは、請求項１又は２に記載の構成に加えて、上面部材及び底面部材が、正面部材もしくは背面部材との連結部を支点にして内側に折りたたみ可能、かつ左側面部材及び右側面部材が、中間部を折り曲げて正面部材及び背面部材との連結部を支点にして内側に折りたたみ可能な構成とした。
【００１３】
不使用時には、上面部材及び底面部材を正面部材もしくは背面部材との連結部を支点にして内側に折りたたむとともに、左側面部材及び右側面部材をその中間部を折り曲げて正面部材及び背面部材との連結部を支点にして内側に折りたたんで、上面部材と底面部材との間に正面部材、背面部材、左側面部材および右側面部材が挟み込まれた状態にコンパクト化することができる。
【発明の効果】
【００１４】
上述の如く、本発明にかかる遊技機用コンテナは、複数の略板状の部材を直方体型に組み立てた構成であるので、スロットマシンのような箱型の遊技機を収容するのに適しており、前面部材に開閉扉を設けるとともに、底面部材の上面部にコロを設けることにより、遊技機を楽に出し入れすることができるようになっている。加えて、開閉扉を観音開きする一対の扉体で構成することにより、開口部の面積が広くとれて、遊技機の出し入れが容易になるという効果がある。
【００１５】
また、開閉扉を封緘体によって閉じた状態に封緘することにより、運搬中の遊技機に不正細工を施すことを完全に防止することができるので、一般の運送業者に運搬を委託することが可能になり、運搬経費の削減が図れる。
【００１６】
さらに、繰り返し使用するコンテナとして、不使用時にコンパクトに折りたたむことができるので、返送時や保管時に広いスペースをとらないという効果が得られた。
【発明を実施するための最良の形態】
【００１７】
本発明を実施するための最良の形態を、以下に示す実施例に基づき具体的に説明する。
【実施例】
【００１８】
図１及び図２は本発明の１実施例のそれぞれ異なる状態を示す外観斜視図である。この遊技機運搬用コンテナＣは、プラスチック等の素材で補強用リブを有する略板状に成形された正面部材１、背面部材２、左側面部材３、右側面部材４、上面部材５及び底面部材６を直方体型に組み立ててなる。
【００１９】
正面部材１には、遊技機を出し入れするための開閉扉１０が設けられている。この開閉扉１０は、正面部材１の枠体１ａに一対の扉体１０ａ，１０ｂが蝶番１１，…によって回動自在に取り付けられ、観音開き式に開閉するようになっている。両扉体１０ａ，１０ｂは点対称に成形されており、同種の部材を共用することができる。
【００２０】
扉体１０ａ，１０ｂには、正面部材１における左右中央位置に、コンテナＣを持ち上げる際に手を掛ける手掛け穴１２，１２が形成されている。両扉体１０ａ，１０ｂの手掛け穴１２，１２の高さが異なっているので、状況に合わせて高さが適当な方の手掛け穴１２に手を掛けることができる。なお、図示されていないが、背面部材２には手掛け穴１２，１２と対応する位置に手掛け凹部が形成されている。
【００２１】
また、扉体１０ａ，１０ｂには、図３に示す開閉扉１０のロック機構１３が設けられている。このロック機構１３は、指でつまんで回転操作する回転板１３ａを備え、この回転板１３ａを枠体１ａのロック溝１３ｂに係合する状態と係合しない状態とに切り替えるようになっている。図３（ａ）に示すように、回転板１３ａがロック溝１３ｂに係合しない状態では、扉体１０ａ，１０ｂが開放可能である。図３（ｂ）に示すように、回転板１３ａをロック溝１３ｂに係合させると、扉体１０ａ，１０ｂが開放しなくなる。このロック状態では、回転板１３ａに形成された凸部１３ｃが枠体１ａに形成された凹部１３ｄに嵌り込み、回転板１３ａの位置が安定する。
【００２２】
さらに、扉体１０ａ，１０ｂの互いに対向する端部には、図４に示す封緘体装着部１４ａ，１４ｂが形成されている。この封緘体装着部１４ａ，１４ｂは、扉体１０ａ，１０ｂの表面よりも湾曲状に凹んだ断面形状をしており、扉体１０ａ，１０ｂを閉じた状態では両者１４ａ，１４ｂが連通するようになっている。コンテナＣ内に遊技機を収容し、扉体１０ａ，１０ｂを閉じたのち、図４に図示されているように、封緘体１５を封緘体装着部１４ａ，１４ｂに架け渡して装着する。封緘体１５は、一旦開閉扉１０を開けると変形して原状復帰できないものとする。これにより、封緘体１５が装着時の状態から変化していれば、開閉扉１０が開けられたことになる。逆に、封緘体１５が装着時の状態であれば、開閉扉１０が開けられなかったことの証明になる。
【００２３】
底面部材６の上面部にはコロ収容凹部１６，…が形成され、該凹部に遊技機の出し入れ方向に上部が移動するように回転自在にコロ１７，…が収容されている。図５に示すように、コロ１７は上端部だけが底面部材６の上面よりも突出しており、コロ収容凹部１６内の軸受け１６ａによってコロの軸部１７ａが回転自在に支持されている。コロ１７，…によって遊技機Ｙの底面が支持されるので、コンテナＣへの遊技機Ｙの出し入れを円滑に行える。
【００２４】
図１及び図２における符合１８は正面部材１の上端面に形成された位置決め凹部、符合１９は背面部材２の上端面に形成された位置決め凸部である。正面部材１の下端面には位置決め凸部１９が形成されており、コンテナＣを積み重ねた場合、上下のコンテナＣ，Ｃの位置決め凹部１８と位置決め凸部１９とが係合する。同様に、背面部材２の下端面には位置決め凹部１８が形成されており、コンテナＣを積み重ねた場合、上下のコンテナＣ，Ｃの位置決め凹部１８と位置決め凸部１９とが係合する。このように構成することにより、コンテナＣを位置ずれさせずに安定した状態で積み重ねることができる。
【００２５】
次に、このコンテナＣの折りたたみの構造について説明する。上面部材５及び底面部材６は、前端部が水平方向のピン２０Ａ，…によって正面部材１に回動自在に取り付けられている。また、左背面部材３及び右側面部材４は、前後中央部が内側に折り曲げ可能になっており、前後両端部が上下方向のピン２０Ｂ，…によって正面部材１及び背面部材２に回動自在に取り付けられている。
【００２６】
折りたたみは次の順序で行う。まず上面部材５及び底面部材６を内側に回動させ（図６）、次いで左右の側面部材３，４を内側に折り曲げて、正面部材１と背面部材２とを接触させる（図７、図８）。そして、扉体１０ａ，１０ｂを閉じて、ロック機構１３，１３をロックする（図９）。このように折りたたんだ状態では、正面部材１と背面部材２との間に左側面部材３、右側面部材４、上面部材５及び底面部材６が収納されてコンパクトになっている。
【産業上の利用可能性】
【００２７】
実施例はスロットマシン運搬用のコンテナを例示したが、本発明はスロットマシン以外の遊技機を運搬するためのコンテナにも適用できる。
【図面の簡単な説明】
【００２８】
【図１】開閉扉が閉じた状態を示す遊技機搬送用コンテナの斜視図である。
【図２】開閉扉が開いた状態を示す遊技機運搬用コンテナの斜視図である。
【図３】（ａ）（ｂ）は互いに異なる状態を示すロック機構の正面図である。
【図４】封緘体装着部の（ａ）正面図、及び（ｂ）Ｓ−Ｓ断面図である。
【図５】コロ収容凹部及びコロの断面図である。
【図６】折りたたみの順序を示す図その１である。
【図７】折りたたみの順序を示す図その２である。
【図８】折りたたみの順序を示す図その３である。
【図９】折りたたみの順序を示す図その４である。
【符号の説明】
【００２９】
Ｃ  遊技機運搬用コンテナ
１  正面部材
２  背面部材
３  左側面部材
４  右側面部材
５  上面部材
６  底面部材
１０  開閉扉
１０ａ，１０ｂ  扉体
１２  手掛け穴
１３  ロック機構
１４ａ，１４ｂ  封緘体装着部
１５  封緘体
１７  コロ
【図１】
2006321504.tif 000003
【図２】
2006321504.tif 000004
【図３】
2006321504.tif 000005
【図４】
2006321504.tif 000006
【図５】
2006321504.tif 000007
【図６】
2006321504.tif 000008
【図７】
2006321504.tif 000009
【図８】
2006321504.tif 000010
【図９】
2006321504.tif 000011